(57)【要約】【課題】  一対の支柱と上下２枚の棚板とからなる収納棚の収納開口に対して、これを横断する落下防止位置と収納開口を全面的に開放する退避位置とに容易に位置変更可能な落下防止杆を具備し、かつ、使い勝手がより良い落下防止装置を提供する。【解決手段】  本発明の落下防止装置は、収納開口８６を横断する落下防止位置と、収納開口８６を全面的に開放する退避位置とに位置変更可能な左右方向に横長の落下防止杆７０と、落下防止杆７０が架け渡される回動可能な一方の支持腕部４０ａと他方の支持腕部４０ｂと、前側支柱８２ａに着脱可能に取り付けられる一方の取付具２０ａと前側支柱８２ｂに着脱可能に取り付けられる他方の取付具２０ｂと、を具備している。【選択図】図１
2013158632.tif 000002
【特許請求の範囲】
【請求項１】
複数の支柱と、該複数の支柱間に架け渡される棚板とからなる収納棚の収納開口に配置される落下防止装置であって、
前記収納開口を横断する落下防止位置と前記収納開口を全面的に開放する退避位置とに位置変更可能な落下防止杆と、前記落下防止杆が架け渡される、回動可能な第１の支持腕部と第２の支持腕部と、前記支柱に着脱可能に取り付けられる第１の取付具と第２の取付具と、を具備し、
前記第１の支持腕部は、第１の腕部と、前記第１の腕部の回動面に対して垂直に突設される支持腕突軸部とを備え、
前記第２の支持腕部は、第２の腕部と、前記支持腕突軸部の軸延長線上に設けられる支持腕軸受け部とを備え、
前記第１の取付具は、第１の基部と、前記第１の基部に立設され、前記支持腕突軸部が挿通される取付具軸受け部とを備え、
前記第２の取付具は、第２の基部と、前記第２の基部に立設され、前記支持腕軸受け部へ挿通される取付具突軸部とを備え、
前記支持腕突軸部が前記取付具軸受け部に挿通され、前記取付具突軸部が前記指示腕軸受け部に挿通され、前記第１の支持腕部と前記第２の支持腕部が前記支持腕突軸部と前記取付具突軸部の軸中心に回動可能かつ軸方向と平行移動可能となっている、ことを特徴とする落下防止装置。
【請求項２】
前記支持腕突軸部と前記取付具突軸部のいずれか一方または両方に、前記第１の支持腕部と前記第２の支持腕部が前記支持腕突軸部と前記取付具突軸部の軸方向での平行移動を規制する規制手段を備えることを特徴とする請求項１に記載の落下防止装置。
【請求項３】
前記第１の支持腕部は、前記支持腕突軸部から所定距離離間した位置に設けられる第１の係止部をさらに備え、
前記第２の支持腕部は、前記支持腕軸受け部から所定距離離間した位置に設けられる第２の係止部をさらに備え、
前記第１の取付具は、前記取付具軸受け部から所定距離離間した位置に立設される第１の係止受け部をさらに備え、
前記第２の取付具は、前記取付具突軸部から所定距離離間した位置に立設される第２の係止受け部をさらに備え、
前記落下防止杆の退避位置から落下防止位置への位置変更による前記第１の支持腕部及び前記第２の指示腕部の回動により、前記第１の係止部と前記第２の係止部が、各々対応する前記第１の係止受け部と前記第２の係止受け部に係止されることを特徴とする請求項１又は請求項２に記載の落下防止装置。
【請求項４】
前記支持腕突軸部と前記取付具軸受け部のいずれか一方または両方に、前記第１の支持腕部と前記第２の支持腕部をその軸方向へ付勢する付勢手段を備えることを特徴とする請求項１乃至請求項３のいずれか１項に記載の落下防止装置。
【発明の詳細な説明】
【技術分野】
【０００１】  本発明は、地震等により什器、本棚等の収納棚が振動しても収納棚の棚板に載置された物品の落下や飛び出しを防止する落下防止装置に関する。
【背景技術】
【０００２】  従来、地震や意図しない何らかの物品の衝突等における振動、揺れ及び傾きで収納棚の棚板に載置された物品の落下や飛び出しを防止する装置が種々提案されている。【０００３】  たとえば、特許文献１に開示される落下防止装置は、略中央部から下部にかけて長孔状にのびる軸支孔と、略中央部から上部に向かい、上端が開口した溝状の支持部とを備える、キャビネットの左右両側板の内面前側に取り付けられる一対のベース部材と、左右両側片と水平片とを有する略コ字形の部材であり、左右両側片の中程より下側が内側に略コ字形に折れ曲がり、折曲部が形成され、この折曲部の外側方に向かう先端部においてベース部材の軸支孔に軸支される、キャビネットの前方を上下に回動する落下防止バーとを備えている。【０００４】  また、特許文献２において、本願出願人は新しい方式の落下防止装置を提案済みである。
【先行技術文献】
【特許文献】
【０００５】
【特許文献１】  特開２００６−０８７７０９号公報
【特許文献２】  特開２０１１−１１５５７９号公報
【発明の概要】
【発明が解決しようとする課題】
【０００６】  しかしながら、特許文献１に開示される落下防止装置は、落下防止バーの左右両側片の中程より下側で内側に折れ曲がった略コ字形の折曲部の先端部が、ベース部材の軸支孔に軸支されてキャビネットの前方を上下に回動する構成のため、重量の大きい物品の落下防止のために落下防止バーを太くすると上下の回動に支障がでるという課題があった。【０００７】  また、特許文献２に開示される落下防止装置の使い勝手をより良くしたいという課題があった。
【課題を解決するための手段】
【０００８】  この発明の目的は、上述した事情に鑑みなされたもので、この発明の主たる目的は、物品の落下および飛び出しを確実に防止可能であって、かつ使い勝手の良い落下防止装置を提供することである。【０００９】  上述した課題を解決し、目的を達成するため、この発明に係わる落下防止装置は、請求項１の記載によれば、複数の支柱と、該複数の支柱間に架け渡される棚板とからなる収納棚の収納開口に配置される落下防止装置であって、前記収納開口を横断する落下防止位置と前記収納開口を全面的に開放する退避位置とに位置変更可能な落下防止杆と、前記落下防止杆が架け渡される、回動可能な第１の支持腕部と第２の支持腕部と、前記支柱に着脱可能に取り付けられる第１の取付具と第２の取付具と、を具備し、前記第１の支持腕部は、第１の腕部と、前記第１の腕部の回動面に対して垂直に突設される支持腕突軸部とを備え、前記第２の支持腕部は、第２の腕部と、前記支持腕突軸部の軸延長線上に設けられる支持腕軸受け部とを備え、前記第１の取付具は、第１の基部と、前記第１の基部に立設され、前記支持腕突軸部が挿通される取付具軸受け部とを備え、前記第２の取付具は、第２の基部と、前記第２の基部に立設され、前記支持腕軸受け部へ挿通される取付具突軸部とを備え、前記支持腕突軸部が前記取付具軸受け部に挿通され、前記取付具突軸部が前記指示腕軸受け部に挿通され、前記第１の支持腕部と前記第２の支持腕部が前記支持腕突軸部と前記取付具突軸部の軸中心に回動可能かつ軸方向と平行移動可能となっている、ことを特徴とする。【００１０】  また、この発明に係わる落下防止装置は、請求項２の記載によれば、前記支持腕突軸部と前記取付具突軸部のいずれか一方または両方に、前記第１の支持腕部と前記第２の支持腕部が前記支持腕突軸部と前記取付具突軸部の軸方向での平行移動を規制する規制手段を備えることを特徴とする。【００１１】  また、この発明に係わる落下防止装置は、請求項３の記載によれば、前記第１の支持腕部は、前記支持腕突軸部から所定距離離間した位置に設けられる第１の係止部をさらに備え、前記第２の支持腕部は、前記支持腕軸受け部から所定距離離間した位置に設けられる第２の係止部をさらに備え、前記第１の取付具は、前記取付具軸受け部から所定距離離間した位置に立設される第１の係止受け部をさらに備え、前記第２の取付具は、前記取付具突軸部から所定距離離間した位置に立設される第２の係止受け部をさらに備え、前記落下防止杆の退避位置から落下防止位置への位置変更による前記第１の支持腕部及び前記第２の指示腕部の回動により、前記第１の係止部と前記第２の係止部が、各々対応する前記第１の係止受け部と前記第２の係止受け部に係止されることを特徴とする。【００１２】  また、この発明に係わる落下防止装置は、請求項４の記載によれば、前記支持腕突軸部と前記取付具軸受け部のいずれか一方または両方に、前記第１の支持腕部と前記第２の支持腕部をその軸方向へ付勢する付勢手段を備えることを特徴とする。
【発明の効果】
【００１３】  この発明によれば、一対の支柱と上下２枚の棚板とからなる収納棚の収納開口に対して、これを横断する落下防止位置と収納開口を全面的に開放する退避位置とに容易に位置変更可能な落下防止杆を具備し、かつ、使い勝手がより良い落下防止装置を提供することができる。
【図面の簡単な説明】
【００１４】
【図１】  落下防止杆が収納開口を横断する落下防止位置となっている落下防止装置の正面図
【図２】  図１の側面図
【図３】  落下防止杆が収納開口を横断する落下防止位置から収納開口を全面的に開放する退避位置へ移動途中の落下防止装置の正面図
【図４】  落下防止杆が収納開口を全面的に開放する退避位置となっている落下防止装置の正面図
【図５】  図４の側面図
【発明を実施するための形態】
【実施例】
【００１５】  以下に図面を用いて本発明の実施例を説明する。なお、この実施例において、収納棚は工場や事務所または一般家庭でも使用されている組み立て式の収納棚としているが、これに限定される物ではなく、本棚や什器等の支柱等の棚側壁と棚板とからなる収納開口を有する収納棚であれば、本発明の落下防止装置が適用可能である。【００１６】  図１乃至図５を用いて、本発明の落下防止装置１０を説明する。図１は、落下防止杆７０が収納開口８６を横断する落下防止位置となっている落下防止装置１０の正面図である。図２は、図１の側面図である。図３は、落下防止杆７０が収納開口８６を横断する落下防止位置から収納開口８６を全面的に開放する退避位置へ移動途中の落下防止装置１０の正面図である。図４は、落下防止杆７０が収納開口８６を全面的に開放する退避位置となっている落下防止装置１０の正面図である。図５は図４の側面図である。【００１７】  図１乃至図５には、本発明の落下物防止装置１０が取り付けられた収納棚８０が示されている。この収納棚８０は、例えば、鋼材製のアングル材や角パイプ材等からなり、収納棚が設置される床面に立設される複数の支柱８２ａ、８２ｂ等と、例えば、鋼板や木材等からなり、これらの支柱に任意の上下間隔をもって架け渡されて各種物品が載置される複数の棚板８４ａ、８４ｂ等とから構成されている。【００１８】  また、収納棚８０の収納棚へ物品を出し入れする側の前側支柱８２ａ、８２ｂと収納棚８４ａ、８４ｂとで囲まれる収納開口８６には、本発明の落下物防止装置１０が配置されている。【００１９】  この本発明の落下物防止装置１０は、図１に示す収納開口８６を横断する落下防止位置と、図４に示す収納開口８６を全面的に開放する退避位置とに位置変更可能な左右方向（棚板８４ａ等と平行な方向）に横長の落下防止杆７０と、落下防止杆７０が架け渡される回動可能な一方の支持腕部４０ａと他方の支持腕部４０ｂと、前側支柱８２ａに着脱可能に取り付けられる一方の取付具２０ａと前側支柱８２ｂに着脱可能に取り付けられる他方の取付具２０ｂと、を具備している。【００２０】  また、落下防止杆７０は、例えば金属パイプや板状細長金属板を丸めて円柱状とした金属棒、また該金属棒の表面にスポンジ等の緩衝材を巻き付けた横長の棒状部材であり、一方の側が一方の支持腕部４０ａと、他方の側が他方の支持腕部４０ｂとへ、後述する落下防止杆受け部や溶接または螺合等で固定されている。【００２１】  一方の取付具２０ａと他方の取付具２０ｂは本発明の落下物防止装置１０を収納棚８０に配置するための取付具で、一方の取付具２０ａは収納開口８６の前側支柱８２ａに、他方の取付具２０ｂは収納開口８６の前側支柱８２ｂに各々着脱可能に取り付けられている。なお、一方の取付具２０ａと他方の取付具２０ｂは概略左右対称の形状となっているので、以下の説明は適宜省力する。【００２２】  取付具２０ａ、２０ｂは、金属板を屈曲して形成されたものであり、収納開口８６が開口した側を前面として、一方の面が前側支柱８２ａ、８２ｂの前面に重ね合わされる略矩形で板状の基部２１ａ、２１ｂと、基部２１ａ、２１ｂの一辺に連続し、前側支柱８２ａ、８２ｂの収納開口８６の内側��向かって折り曲げられた板状の補助部２２ａ、２２ｂと、補助部２２ａ、２２ｂと面一に連続し、一方の支持腕部４０ａと他方の支持腕部４０ｂとを各々回動可能に支持する回動支持部２３ａ、２３ｂと、基部２１ａ、２１ｂの他方の面に立設され、回動支持部２３ａ、２３ｂから所定距離離間した位置に配置される、一方の支持腕部４０ａと他方の支持腕部４０ｂとを各々係止する係止部２４ａ、２４ｂとを概略備えている。なお、基部２１ａ、２１ｂには、取付具２０ａ、２０ｂを前側支柱８２ａ、８２ｂに固着するための図示しないボルトを挿通するための複数のボルト挿通孔２５も備えている。【００２３】  なお、補助部２２ａ、２２ｂと面一に連続する板状部材である回動支持部２３ａ、２３ｂには貫通孔が設けられており、この２つの孔の中心を結ぶ線は、落下防止杆７０の軸方向と平行となっている。また、回動支持部２３ａに設けられた貫通孔は、一方の支持腕部４０ａに設けられた支持腕突軸部４７を回動可能に軸支する取付具軸受け部２６となっている。また、回動支持部２３ｂに設けられた貫通孔には、他方の支持腕部４０ｂに設けられた支持腕軸受け部４８に挿通され、他方の支持腕部４０ｂを回動可能とする取付具突軸部２７が設けられている。【００２４】  また、この取付具突軸部２７は、回動支持部２３ｂの貫通孔へ固定された突軸部であり、例えばボルトを該貫通孔へ挿通後、高ナット等に螺合して回動不可及び移動不可に固定されたものである。また、この取付具突軸部２７の軸方向は落下防止杆７０の軸方向と平行となっており、収納開口８６に軸が突出しない方向である一方の支持腕部４０ａの側から他方の支持腕部４０ｂの側（図１における紙面右側への方向）となっている。【００２５】  なお、後述するが、支持腕軸受け部４８は、取付具突軸部２７の軸が突出した側に挿通され、他方の支持腕部４０ｂが取付具突軸部２７を中心に回動可能であり、かつ、取付具突軸部２７の軸方向であって回動支持部２３ｂから離間する方向（すなわち、取付具突軸部２７の軸の突出方向）に移動可能となっている。また、支持腕軸受け部４８と取付具突軸部２７の先端部との間には、支持腕軸受け部４８を回動支持部２３ｂに向かって付勢する付勢手段としてのバネ２８が設けられている。【００２６】  一方の支持腕部４０ａと他方の支持腕部４０ｂは落下防止杆７０が架け渡される回動可能な支持腕部で、一方の支持腕部４０ａに設けられた支持腕突軸部４７を軸中心とした回動、及び他方の支持腕部４０ｂに設けられた支持腕軸受け部４８の取付具突軸部２７を軸中心とした回動により、落下防止杆７０が退避位置と落下防止位置との間で位置変更可能となっている。【００２７】  また、一方の支持椀部４０ａと他方の支持椀部４０ｂは、金属板を屈曲して形成されたものであり、落下防止杆７０の軸方向に対して平行に配置される板状の一方の腕部４１ａと他方の腕部４１ｂと、落下防止杆７０を支持する一方の落下防止杆受け部４２ａと他方の落下防止杆受け部４２ｂと、一方の腕部４１ａと他方の腕部４１ｂの各々の収納開口８６の側の一辺で連続し、落下防止杆７０の軸方向に垂直となるように前側支柱８２ａ、８２ｂに向かって折り曲げられた板状の腕回動支持部４６ａ、４���ｂと、を概略備えている。なお、一方の落下防止杆受け部４１ａと他方の落下防止杆受け部４１ｂには、各々落下防止杆７０を支持固定するための落下防止杆固定ネジ４５も備えている。【００２８】  また、一方の落下防止杆受け部４２ａと他方の落下防止杆受け部４２ｂは、図２、図４、図５に示すとおり、落下防止杆７０の軸方向と平行になるように設けられ、係止部２４ａ、２４ｂを係止する係止受け部４３ａ、４３ｂと、収納開口８６の側に設けられ、係止部２４ａ、２４ｂを係止受け部４３ａ、４３ｂに係止する際に挿通される係止挿通部４４ａ、４４ｂとを備えている。【００２９】  なお、落下防止杆７０の軸方向に垂直、すなわち回動支持部２３ａ、２３ｂと平行となるように設けられた腕回動支持部４６ａ、４６ｂには貫通孔が設けられており、この２つの孔の中心を結ぶ線は、落下防止杆７０の軸方向と平行で、かつ、回動支持部２３ａ、２３ｂに設けられた貫通孔を結ぶ線と同軸となっている。【００３０】  また、腕回動支持部４６ａに設けられた貫通孔には、取付具軸受け部２６へ回動可能に軸支される支持腕突軸部４７が設けられている。また、腕回動支持部４６ｂに設けられた貫通孔は、取付具突軸部２７を回動可能に軸支する取付具軸受け部２６となっている。【００３１】  また、この支持腕突軸部４７は、腕回動支持部４６ａの貫通孔へ固定された突軸部であり、例えばボルトを該貫通孔へ挿通後、高ナット等に螺合して回動不可及び移動不可に固定されたものである。また、この支持腕突軸部４７の軸方向は落下防止杆７０の軸方向と平行となっており、収納開口８６に軸が突出しない方向である他方の支持腕部４０ｂの側から一方の支持腕部４０ａの側（図１における紙面左側への方向）となっている。【００３２】  なお、取付具軸受け部２６は、支持腕突軸部４７の軸が突出した側に挿通され、一方の支持腕部４０ａが支持腕突軸部４７を中心に回動可能であり、かつ、支持腕突軸部４７の軸方向であって回動支持部２３ａから離間する方向（すなわち、取付具突軸部２７の軸の突出方向とは反対の方向）に移動可能となっている。【００３３】  上述した取付具軸受け部２６と支持腕突軸部４７の構成、及び取付具突軸部２７と支持腕軸受け部４８により、架け渡された落下防止杆７０で連結される一方の支持腕部４０ａと他方の支持腕部４０ｂは、２つの突軸部を軸中心として回動可能となっているとともに、落下防止杆７０の軸方向と平行な方向に移動可能となっている。【００３４】  また、落下防止杆７０の軸方向と平行な方向への移動は、回動支持部２３ａと回動支持部２３ｂで規制されている。具体的には、支持腕突軸部４７が設けられた腕回動支持部４６ａは、支持腕突軸部４７を軸支する取付具軸受け部２６が設けられた回動支持部２３ａより他方の支持腕部４０ｂの側（図１の紙面右側）に配置され、支持腕軸受け部４８が設けられた腕回動支持部４６ｂは、支持腕軸受け部４８に軸支される取付具突軸部２７が設けられた回動支持部２３ｂより他方の支持腕部４０ｂの側（図１の紙面右側）に配置されているので、落下防止杆７０の軸方向と平行な方向への移動は、回動支持部２３ａ及び回動支持部２３ｂに対して図１の紙面右側のみとなる。【００３５】  また、上述の通り、バネ２８により、支持腕軸受け部４８が設けられた腕回動支持部４６ｂは回動支持部２３ｂの方向に付勢されているので、腕回動支持部４６ｂが回動支持部２３ｂへ当接し、掛け渡された落下防止杆７０を介して腕回動支持部４６ａが回動支持部２３ａへ当接するように、常時付勢されている。【００３６】  また、係止部２４ａ、２４ｂは、バネ２８の付勢力で腕回動支持部４６ｂが回動支持部２３ｂへ当接し、腕回動支持部４６ａが回動支持部２３ａへ当接している状態においては、図２に示すとおり係止受け部４３ａ、４３ｂに収納されることで係止されている。この係止の解除は、バネ２８の付勢力に抗して腕回動支持部４６ａ、ｂを回動支持部２３ａ、ｂから離間して係止部２４ａ、２４ｂを係止挿通部４４ａ、４４ｂの位置まで移動させ、この状態を保ったまま落下防止杆７０を収納開口８６から離れる方向（図１において紙面垂直の手前方向）に回動させて行う。【００３７】  上述した本発明の落下防止装置１０を用いて、棚板８４ａに載置された物品が地震等による収納棚８０の振動を受けても落下や飛び出しを防止できる落下防止杆７０の落下防止位置から、該物品を自由に取り出すことができる落下防止杆７０の退避位置への位置変更について説明する。【００３８】  図１に示す状態においては、落下防止杆７０は落下防止位置となっているので、収納棚８０が地震等によるの振動を受けても棚板８４ａに載置された各種物品の落下や飛び出しを防止可能となっている。なお、この図１の状態では、落下防止杆７０は、バネ２８の付勢力により図１の紙面右側に付勢されており、係止部２４ａ、２４ｂが係止受け部４３ａ、４３ｂによる係止から解除されることはない。【００３９】  落下防止杆７０の退避位置への位置変更は、落下防止杆７０を図３に示す矢印の方向へバネ２８の付勢力に抗して移動させ、係止部２４ａ、２４ｂの位置を係止挿通部４４ａ、４４ｂまで移動させた後に落下防止杆７０を収納開口８６から離れる方向（図１において紙面垂直の手前方向）に回動させて行う。【００４０】  最終的に、落下防止杆７０を図４に示す収納開口８６が全面的に開放される退避位置まで移動させて位置変更を終了する。この結果、各種物品を棚板８４ａに載置したり、棚板８４ａに載置された各種物品を自由に取り出したりすることが可能となる。【００４１】  なお、再度、落下防止杆７０を落下防止位置へ位置変更する場合には、落下防止杆７０を図３に示す矢印の方向へバネ２８の付勢力に抗して移動させ、係止部２４ａ、２４ｂの位置を係止挿通部４４ａ、４４ｂまで移動させた後に落下防止杆７０を収納開口８６に向かう方向（図１において紙面垂直の奥方向）に回動させて行う。【００４２】  以上のように、本発明の落下防止装置１０は、落下防止杆７０の退避位置から落下防止位置への位置変更、及び落下防止位置から退避位置への位置変更は非常に容易であり、片手でも位置変更可能となっている。【００４３】  また、本発明の落下防止装置１０は、取付具突軸部２７と支持腕突軸部４７の両方とも収納開口８６から外に向かって突出しており、収納開口８６の側に向かって軸が突出した箇所がないので、各種物品を棚板８４ａに載置したり、棚板８４ａに載置さ��た各種物品を取り出したりする際にぶつかることがないので、使い勝手がより良くすることが可能となる。
【符号の説明】
【００４４】１０・・落下防止装置、２０ａ・・一方の取付具、２０ｂ・・他方の取付具、２１ａ、２１ｂ・・基部、２２ａ、２２ｂ・・補助部、２３ａ、２３ｂ・・回動支持部、２４ａ、２４ｂ・・係止部、２５・・ボルト挿通孔、２６・・取付具軸受け部、２７・・取付具突軸部、２８・・バネ、４０ａ・・一方の支持腕部、４０ｂ・・他方の支持腕部、４１ａ・・一方の腕部、４１ｂ・・他方の腕部、４２ａ・・一方の落下防止杆受け部、４２ｂ・・他方の落下防止杆受け部、４３ａ、４３ｂ・・係止受け部、４４ａ、４４ｂ・・係止挿通部、４５・・落下防止杆固定ネジ、４６ａ４６ｂ・・腕回動支持部、４７・・支持腕突軸部、４８・・支持腕軸受け部、７０・・落下防止杆、８０・・収納棚、８２ａ、８２ｂ・・支柱、８４ａ、８４ｂ・・棚板、８６・・収納開口
【図１】
2013158632.tif 000003
【図２】
2013158632.tif 000004
【図３】
2013158632.tif 000005
【図４】
2013158632.tif 000006
【図５】
2013158632.tif 000007